(57)【要約】【課題】工程管理情報を記憶した記憶領域と該記憶領域に記憶した工程管理情報を可視情報として書き換え可能に表示するための表示領域とを有する情報記録媒体を用いて効率的な工程管理システムを提供する。【解決手段】情報記録媒体１０は、所定の工程毎に工程管理情報を記憶したＩＣ領域１３と、該記憶した工程管理情報を可視情報として書き換え可能に表示する表示領域１１とを有し、各工程に対応付けられ且つ表示領域１１に表示された可視情報をリライトするリライタブル装置２１に通信手段２２を介してアクセス可能とする。サーバ装置６０は、工程選択手段６１，工程管理情報読出手段６２，書換指示手段６３を有し、アクセスしたリライタブル装置２１に対応した工程をＩＣ領域１３の中から選択し、選択した工程に応じた工程管理情報を読み出し、その工程管理情報に基づいて表示領域１１を書き換えるようにリライタブル装置２１に指示する。【選択図】図５
2006286020.tif 000002
【特許請求の範囲】
【請求項１】
所定の工程毎に当該工程管理に関する情報を記憶した記憶領域と該記憶領域に記憶した工程管理情報を可視情報として書き換え可能に表示するための表示領域とを有する情報記録媒体と、工程を管理するためのサーバ装置と、前記情報記録媒体とサーバ装置との間で通信を行うための通信手段とを有する情報記録媒体を用いた工程管理システムにおいて、前記サーバ装置は、各工程に対応付けられ且つ前記情報記録媒体の表示領域に表示された可視情報を書き換えするための書き換え可能装置とネットワークを介して接続され、前記情報記録媒体の記憶領域に記憶した工程の中から予め定めた優先順位に基づいて書き換え対象とする工程を選択する工程選択手段と、該選択した工程に応じた工程管理情報を読み出す工程管理情報読出手段と、該読み出した工程管理情報に基づいて前記表示領域を書き換えるように前記選択した工程に応じた書き換え可能装置に指示する書換指示手段とを有することを特徴とする情報記録媒体を用いた工程管理システム。
【請求項２】
請求項１に記載の情報記録媒体を用いた工程管理システムにおいて、前記サーバ装置は、担当者が使用する端末装置とネットワークを介して接続可能とし、工程間における伝達情報の入力を前記端末装置から受け付けて、該受け付けた伝達情報を前記情報記録媒体の記憶領域に記憶させ、該情報記録媒体の表示領域を書き換える際に、前記記憶領域において前記書き換え対象の工程に関する伝達情報が記憶されているかどうか判断し、その結果、前記伝達情報が記憶されている場合、前記工程の工程管理情報及び伝達情報に基づいて前記表示領域を書き換えるように前記書き換え可能装置に指示することを特徴とする情報記録媒体を用いた工程管理システム。
【請求項３】
請求項２に記載の情報記録媒体を用いた工程管理システムにおいて、前記サーバ装置は、所定の工程毎に工程管理に関する情報を登録した工程管理情報ＤＢにアクセス可能とし、前記工程管理情報ＤＢに登録した工程管理情報を前記情報記録媒体の記憶領域に記憶させることを特徴とする情報記録媒体を用いた工程管理システム。
【請求項４】
請求項１乃至３のいずれか１に記載の情報記録媒体を用いた工程管理システムにおいて、前記情報記録媒体は、前記工程管理情報として、工程毎に、工程内容，工程の識別情報，前記表示領域に表示させる情報の種類，前記各工程に定めた優先順位のいずれか複数を前記記憶領域に記憶していることを特徴とする情報記録媒体を用いた工程管理システム。
【請求項５】
請求項１乃至４のいずれか１に記載の情報記録媒体を用いた工程管理システムにおいて、前記サーバ装置は、前記情報記録媒体の表示領域を書き換える際に、該表示領域に表示されている前工程又は処理済工程の工程管理情報を消去した後に、前記書き換え対象とする工程の工程管理情報を前記表示領域に印刷するように前記書き換え可能装置に指示することを特徴とする情報記録媒体を用いた工程管理システム。
【請求項６】
請求項１乃至５のいずれか１に記載の情報記録媒体を用いた工程管理システムにおいて、前記情報記録媒体は、前記表示領域の数，表示位置，表示面積のいずれか１又は複数を少なくとも含むレイアウト情報を前記記憶領域に記憶して有し、前記サーバ装置は、前記記憶領域に記憶したレイアウト情報に従って前記表示領域を書き換えるように前記書き換え可能装置に指示することを特徴とする情報記録媒体を用いた工程管理システム。
【請求項７】
請求項６に記載の情報記録媒体を用いた工程管理システムにおいて、前記サーバ装置は、前記情報記録媒体の記憶領域に記憶した工程管理情報の情報量に応じて前記レイアウト情報を変更できるようにしたことを特徴とする情報記録媒体を用いた工程管理システム。
【請求項８】
請求項１乃至７のいずれか１に記載の情報記録媒体を用いた工程管理システムにおいて、前記情報記録媒体は、前記表示領域を同一面上に複数箇所設けた場合、各表示領域について書き換えの可否を制御するための書き換え可否制御情報を前記記憶領域に記憶して有し、前記サーバ装置は、前記記憶領域に記憶した書き換え可否制御情報に従って前記各表示領域の中で書き換え可能な表示領域を選択的に書き換えるように前記書き換え可能装置に指示することを特徴とする情報記録媒体を用いた工程管理システム。
【請求項９】
請求項１乃至８のいずれか１に記載の情報記録媒体を用いた工程管理システムにおいて、複数の部品を統合して１つの部品又は製品とするための統合化工程を有する場合、前記サーバ装置は、前記統合化工程において、前記複数部品の工程に応じた複数の情報記録媒体を１つの情報記録媒体に統合化して書き換えるように前記書き換え可能装置に指示できるようにしたことを特徴とする情報記録媒体を用いた工程管理システム。
【請求項１０】
請求項１乃至９のいずれか１に記載の情報記録媒体を用いた工程管理システムにおいて、前記サーバ装置は、前記各工程に割り当てた標準リードタイムを記憶した標準リードタイムテーブルを有し、前記情報記録媒体の表示領域に前工程に応じた工程管理情報を印刷した時刻と、該前工程を行った後に、当該工程に応じた工程管理情報に基づいて前記表示領域を書き換えた時刻とに基づいて前記前工程のリードタイムを算出し、該算出した前工程のリードタイムと前記標準リードタイムテーブルに記憶した前記前工程に応じた標準リードタイムとを比較し、当該工程に応じた工程管理情報に基づいて前記表示領域を書き換える際に、前記比較結果に応じた連絡情報を前記表示領域に印刷できるようにしたことを特徴とする情報記録媒体を用いた工程管理システム。
【請求項１１】
請求項１乃至１０のいずれか１に記載の情報記録媒体を用いた工程管理システムにおいて、前記情報記録媒体は、前記記憶領域と演算処理領域とからなるＩＣ部と、該ＩＣ部に接続されたアンテナ部とを有し、非接触方式による情報の送受信を可能とすることを特徴とする情報記録媒体を用いた工程管理システム。
【請求項１２】
請求項１乃至１１のいずれか１に記載の情報記録媒体を用いた工程管理システムにおいて、前記通信手段は、前記情報記録媒体との間で非接触方式による情報の送受信を制御するための制御部と、該制御部に接続されたアンテナとを有することを特徴とする情報記録媒体を用いた工程管理システム。
【請求項１３】
請求項１乃至１２のいずれか１に記載の情報記録媒体を用いた工程管理システムとしての機能を実行するためのプログラム。
【請求項１４】
請求項１３に記載のプログラムを記録したコンピュータ読み取り可能な記録媒体。
【発明の詳細な説明】
【技術分野】
【０００１】
本発明は、情報記録媒体を用いた工程管理システム、プログラム、及び記録媒体、より詳細には、工程管理に関する情報を記憶した記憶領域と該工程管理情報を可視情報として書き換え可能に表示するための表示領域とを有する情報記録媒体を用いた工程管理システム、プログラム、及び記録媒体に関する。
【背景技術】
【０００２】
従来、「かんばん」と呼ばれる発注指示カードを用いた部品納入指示装置として、生産計画手段からの情報に基づいて発注指示カードの枚数を枚数算出手段により計算し、発注指示カードの計算枚数と予め設定された発注指示カードの枚数の下限値とを第１の比較手段により比較すると共に、部品の納入リードタイムと使用リードタイムとを第２の比較手段によって比較し、枚数算出手段からの計算枚数が設定値を下回る場合には、部品の発注指示形態を確定指示に切換え、それ以外は発注形態をかんばん指示に切換えるようにして、需要変動に応じた部品の納入を可能としたものが開示されている（例えば、特許文献１参照）。
【０００３】
また、デジタルペーパを用いた工程管理システムとして、所要の情報を書き換え可能に表示するための工程管理票としてのデジタルペーパと、工程管理に関する情報を処理するための情報処理装置と、デジタルペーパと情報処理装置との間の通信を行うための通信手段とを備え、工程管理情報の変更時にも再使用可能な工程管理票を用いて、効率的な工程管理を行えるようにしたものが開示されている（例えば、特許文献２参照）。
【特許文献１】特許第２９５６０８５号公報
【特許文献２】特開２００２−７３１３８号公報
【発明の開示】
【発明が解決しようとする課題】
【０００４】
しかしながら、上記特許文献１に記載の発明によると、発注指示カードに表示された情報の書き換えは行われないため、各工程に対して柔軟な発注指示、工程管理を行うことはできなかった。
また、上記特許文献２に記載の発明によると、工程管理者が工程管理に関する情報をデジタルペーパにダウンロードし、その情報に基づいて各々の工程管理者が作業するため、例えば、複数の工程管理者間における工程を流れるような組み立て等の作業では、各工程管理者間（前工程、後工程など）の情報伝達がうまく行われない場合があった。
さらに、各工程において、後続の工程に対して、作業指示を行うような場合は、各工程に対応する帳票／指示書をその都度起票し、その帳票／指示書を出力するなどの処理が必要であった。このような処理を行うことは、流れ作業における情報伝達の効率化を妨げる要因の一つとなっていた。
【０００５】
本発明は、上述のごとき実情に鑑みてなされたものであり、所定の工程毎に工程管理に関する情報を記憶した記憶領域と該記憶領域に記憶した工程管理情報を可視情報として書き換え可能に表示するための表示領域とを有する情報記録媒体と、その情報記録媒体の表示領域に表示された可視情報を書き換えするための書き換え可能装置とを用いて、効率的な工程管理を行うための工程管理システム、プログラム及び記録媒体を提供すること、を目的としてなされたものである。
【課題を解決するための手段】
【０００６】
請求項１の発明は、所定の工程毎に当該工程管理に関する情報を記憶した記憶領域と該記憶領域に記憶した工程管理情報を可視情報として書き換え可能に表示するための表示領域とを有する情報記録媒体と、工程を管理するためのサーバ装置と、前記情報記録媒体とサーバ装置との間で通信を行うための通信手段とを有する情報記録媒体を用いた工程管理システムにおいて、前記サーバ装置は、各工程に対応付けられ且つ前記情報記録媒体の表示領域に表示された可視情報を書き換えするための書き換え可能装置とネットワークを介して接続され、前記情報記録媒体の記憶領域に記憶した工程の中から予め定めた優先順位に基づいて書き換え対象とする工程を選択する工程選択手段と、該選択した工程に応じた工程管理情報を読み出す工程管理情報読出手段と、該読み出した工程管理情報に基づいて前記表示領域を書き換えるように前記選択した工程に応じた書き換え可能装置に指示する書換指示手段とを有することを特徴としたものである。
【０００７】
請求項２の発明は、請求項１の発明において、前記サーバ装置は、担当者が使用する端末装置とネットワークを介して接続可能とし、工程間における伝達情報の入力を前記端末装置から受け付けて、該受け付けた伝達情報を前記情報記録媒体の記憶領域に記憶させ、該情報記録媒体の表示領域を書き換える際に、前記記憶領域において前記書き換え対象の工程に関する伝達情報が記憶されているかどうか判断し、その結果、前記伝達情報が記憶されている場合、前記工程の工程管理情報及び伝達情報に基づいて前記表示領域を書き換えるように前記書き換え可能装置に指示することを特徴としたものである。
【０００８】
請求項３の発明は、請求項２の発明において、前記サーバ装置は、所定の工程毎に工程管理に関する情報を登録した工程管理情報ＤＢにアクセス可能とし、前記工程管理情報ＤＢに登録した工程管理情報を前記情報記録媒体の記憶領域に記憶させることを特徴としたものである。
【０００９】
請求項４の発明は、請求項１乃至３のいずれか１の発明において、前記情報記録媒体は、前記工程管理情報として、工程毎に、工程内容，工程の識別情報，前記表示領域に表示させる情報の種類，前記各工程に定めた優先順位のいずれか複数を前記記憶領域に記憶していることを特徴としたものである。
【００１０】
請求項５の発明は、請求項１乃至４のいずれか１の発明において、前記サーバ装置は、前記情報記録媒体の表示領域を書き換える際に、該表示領域に表示されている前工程又は処理済工程の工程管理情報を消去した後に、前記書き換え対象とする工程の工程管理情報を前記表示領域に印刷するように前記書き換え可能装置に指示することを特徴としたものである。
【００１１】
請求項６の発明は、請求項１乃至５のいずれか１の発明において、前記情報記録媒体は、前記表示領域の数，表示位置，表示面積のいずれか１又は複数を少なくとも含むレイアウト情報を前記記憶領域に記憶して有し、前記サーバ装置は、前記記憶領域に記憶したレイアウト情報に従って前記表示領域を書き換えるように前記書き換え可能装置に指示することを特徴としたものである。
【００１２】
請求項７の発明は、請求項６の発明において、前記サーバ装置は、前記情報記録媒体の記憶領域に記憶した工程管理情報の情報量に応じて前記レイアウト情報を変更できるようにしたことを特徴としたものである。
【００１３】
請求項８の発明は、請求項１乃至７のいずれか１の発明において、前記情報記録媒体は、前記表示領域を同一面上に複数箇所設けた場合、各表示領域について書き換えの可否を制御するための書き換え可否制御情報を前記記憶領域に記憶して有し、前記サーバ装置は、前記記憶領域に記憶した書き換え可否制御情報に従って前記各表示領域の中で書き換え可能な表示領域を選択的に書き換えるように前記書き換え可能装置に指示することを特徴としたものである。
【００１４】
請求項９の発明は、請求項１乃至８のいずれか１の発明において、複数の部品を統合して１つの部品又は製品とするための統合化工程を有する場合、前記サーバ装置は、前記統合化工程において、前記複数部品の工程に応じた複数の情報記録媒体を１つの情報記録媒体に統合化して書き換えるように前記書き換え可能装置に指示できるようにしたことを特徴としたものである。
【００１５】
請求項１０の発明は、請求項１乃至９のいずれか１の発明において、前記サーバ装置は、前記各工程に割り当てた標準リードタイムを記憶した標準リードタイムテーブルを有し、前記情報記録媒体の表示領域に前工程に応じた工程管理情報を印刷した時刻と、該前工程を行った後に、当該工程に応じた工程管理情報に基づいて前記表示領域を書き換えた時刻とに基づいて前記前工程のリードタイムを算出し、該算出した前工程のリードタイムと前記標準リードタイムテーブルに記憶した前記前工程に応じた標準リードタイムとを比較し、当該工程に応じた工程管理情報に基づいて前記表示領域を書き換える際に、前記比較結果に応じた連絡情報を前記表示領域に印刷できるようにしたことを特徴としたものである。
【００１６】
請求項１１の発明は、請求項１乃至１０のいずれか１の発明において、前記情報記録媒体は、前記記憶領域と演算処理領域とからなるＩＣ部と、該ＩＣ部に接続されたアンテナ部とを有し、非接触方式による情報の送受信を可能とすることを特徴としたものである。
【００１７】
請求項１２の発明は、請求項１乃至１１のいずれか１の発明において、前記通信手段は、前記情報記録媒体との間で非接触方式による情報の送受信を制御するための制御部と、該制御部に接続されたアンテナとを有することを特徴としたものである。
【００１８】
請求項１３の発明は、請求項１乃至１２のいずれか１に記載の情報記録媒体を用いた工程管理システムとしての機能を実行するためのプログラムである。
【００１９】
請求項１４の発明は、請求項１３に記載のプログラムを記録したコンピュータ読み取り可能な記録媒体である。
【発明の効果】
【００２０】
本発明によると、所定の工程毎に工程管理に関する情報を記憶した記憶領域と該記憶領域に記憶した工程管理情報を可視情報として書き換え可能に表示するための表示領域とを有する情報記録媒体と、その情報記録媒体の表示領域に表示された可視情報を書き換えするためのリライタブル装置とを用いることにより、工程管理の効率化を図ることができる。
【発明を実施するための最良の形態】
【００２１】
図１は、本発明の工程管理システムに適用する情報記録媒体の構成例を説明するための図で、図中、１０は情報記録媒体で、該情報記録媒体１０は、第１の表示領域１１、第２の表示領域１２、ＩＣチップを備えたＩＣ領域１３を有している。この情報記録媒体１０は、部品を格納するキャビネットなどに添付され、例えば、第１工程（部品登録時）〜第２工程（部品加工時）〜第３工程（製品納品時）からなる一連の工程において、各工程の担当者又は工程管理者によって持ち回りで使用される。第１の表示領域１１及び／又は第２の表示領域１２には、後述する書き換え可能装置（以下、リライタブル装置という）により、上記各工程（第１工程，第２工程，第３工程等）に応じた工程管理情報が可視情報として書き換え可能に表示される。尚、本実施形態における情報記録媒体１０は、３つの各作業工程からなる一連の工程に対して適用した例について示しているが、本発明は、複数の工程からなる一連の流れ作業を行う工程管理、例えば、生産管理，物流管理，飛行場等における検査管理等、様々な流れ作業を実行するための工程管理全般に適用することができる。
【００２２】
図２は、図１に示したＩＣ領域１３の構成例を示す図で、このＩＣ領域１３はＩＣタグの種類に応じて接触型と非接触型とに分類され、本実施形態では接触型ＩＣタグを利用したものを接触型ＩＣ領域１３ａとし、非接触型ＩＣタグを利用したものを非接触型ＩＣ領域１３ｂとして説明するものとする。
【００２３】
図２（Ａ）は、接触型ＩＣ領域１３ａについて示した図で、接触型ＩＣ領域１３ａは、基材上に接点部１３ａ１と、ＩＣチップ（ＣＰＵ１３ａ２，ＲＯＭ１３ａ３，ＥＥＰＲＯＭ１３ａ４，ＲＡＭ１３ａ５を含む）とを有している。図２（Ｂ）は、非接触型ＩＣ領域１３ｂについて示した図で、非接触型ＩＣ領域１３ｂは、基材上にアンテナ部１３ｂ１と、ＩＣチップ（ＣＰＵ１３ｂ２，ＲＯＭ１３ｂ３，ＥＥＰＲＯＭ１３ｂ４，ＲＡＭ１３ｂ５を含む）とを有している。上記したＩＣチップの構成は接触型ＩＣ領域１３ａ及び非接触型ＩＣ領域１３ｂにおいて同様であるため、本例では、非接触型ＩＣ領域１３ｂを代表例として説明する。
まず、ＩＣチップに含まれるＥＥＰＲＯＭ１３ｂ４は、電気的に書込み／消去が可能な不揮発性メモリで、データやプログラムを記憶しておくことができる。このＥＥＰＲＯＭ１３ｂ４以外にも、例えば、フラッシュメモリ、ＦｅＲＡＭ等を適用することができる。ＣＰＵ１３ｂ２（中央演算処理装置）は、プログラムに従って計算したり、情報の送受信を制御する。ＲＯＭ１３ｂ４及びＲＡＭ１３ｂ５は、ＣＰＵ１３ｂ２に組み込まれており、必要に応じてデータやプログラムを記憶する。このＩＣチップは、ＩＣ領域１３の中核的な部分で外部からの情報を取り入れて記憶処理を行うものである。
【００２４】
また、接触型ＩＣ領域１３ａの場合、接点部１３ａ１を有し、接点部１３ａ１は、接触型ＩＣ領域１３ａとリーダ／ライタ装置との間でデータ交換したり、接触型ＩＣ領域１３ａのＩＣチップを動作させるための電力を供給する。この接点部１３ａ１は、各接点に応じて役割が予め決められている。また、非接触型ＩＣ領域１３ｂの場合、アンテナ部１３ｂ１を有し、アンテナ部１３ｂ１は、電波を介して外部機器との間で情報のやり取りを行うと共に、非接触型ＩＣ領域１３ｂのＩＣチップを動作させるための電力を発生させる。尚、情報記録媒体１０には、上記した接触型ＩＣ領域１３ａ又は非接触型ＩＣ領域１３ｂのどちらのＩＣ領域を設けてもよいが、それぞれのＩＣ領域に応じたリーダ／ライタ装置を設置しておく必要がある。
【００２５】
以下、本発明が適用される工程管理システムにおいて、情報記録媒体１０のＩＣ領域１３として、図２に示すような非接触型ＩＣ領域１３ｂを用いて説明するものとする。本工程管理システムにおいて、非接触型ＩＣ領域１３ｂは、一連の流れ作業時に、ライン（例えばベルトコンベアなど）の脇などに併設した情報送受信用のアンテナ（後述）からの電波をアンテナ部１３ｂ１で受信することにより、例えば、磁界方式、電波方式、光方式など各種方式によって内蔵するＣＰＵ１３ｂ２に電力を発生させる。尚、上記電力発生方式（通信方式）については本発明の主旨ではないため、ここでの説明は省略するものとする。ＣＰＵ１３ｂ２は、発生した電力によりＩＣチップ内に格納されているプログラムに従って計算したり、各工程に応じて第１の表示領域１１等を書き換えるように書き換え可能装置に指示するなどの各種処理の実行や、情報の送受信の制御等を電波を介して行う。
【００２６】
図３は、情報記録媒体１０のＩＣ領域１３に格納された工程管理情報テーブル及び表示領域管理テーブルの一例を説明するための図である。図３（Ａ）は、各工程を管理するための工程管理情報テーブルの一例を示した図で、この工程管理情報テーブルには印刷出力する帳票の種類毎に属性情報を管理するための属性情報を含むものとする。図３（Ｂ）は、各表示領域を管理するための表示領域管理テーブルの一例を示した図である。これらの工程管理情報テーブル及び表示領域管理テーブルは、情報記録媒体１０のＩＣチップに予め記憶させておくものとする。
【００２７】
図３（Ａ）において、工程管理情報テーブルには、例えば部品登録情報、加工指示情報、納品情報などの工程管理に関する情報が工程毎に登録されている。この工程管理情報は、工程（本例では、第１工程、第２工程、第３工程）毎に、例えば、工程内容（登録処理，加工処理，納品処理など）、工程の識別情報（工程固有の工程番号など）、第１の表示領域１１及び第２の表示領域１２に表示させる情報の種類（これは、例えば第１の表示領域１１には登録情報，指示情報，納品情報等を表示させ、第２の表示領域１２には日時、担当者等を表示させる）、後述する書き換え可能装置に割り当てられた固有番号などを含むものとする。また、工程管理情報テーブルに含まれる属性情報は、印刷出力する帳票の種類（本例では、登録帳票，加工帳票，納品帳票）に応じて、指示情報の有無、通知先（担当者，管理者，配送先など）、連絡手段（メール，電話，ＦＡＸなど）、関連処理の有無、統合処理の有無などを含むものとする。ここで、幾つかの異なる工程が、その後の別の工程で統合されるような場合、具体的には、例えば、複数の部品を組み立てて新たな１部品（製品）を生産するような統合化工程を有する場合には、前記複数部品の工程に応じた複数の帳票（情報記録媒体）が１枚の情報記録媒体１０に統合処理される。統合処理を必要とするかどうかは、属性情報の「統合処理」により判断することができる。本例では、加工帳票及び納品帳票に対して統合処理する必要があることがわかる。
【００２８】
図３（Ｂ）において、表示領域管理テーブルには、表示領域に応じた書き換え可否制御情報や、レイアウト情報などを含む表示領域に関する管理情報が登録されている。上記書き換え可否制御情報は、情報記録媒体１０の表示領域を同一面上に複数箇所設けた場合に、各表示領域について書き換えの可否を制御するためのもので、本例では、第１の表示領域は書き換え可能で、第２の表示領域は書き換え不可であることがわかる。このように、書き換え可能領域と書き換え不可領域とをソフトウェアにより制御することができる。また、上記レイアウト情報は、表示領域の数，表示位置，表示面積のいずれか１又は複数を含むもので、このレイアウト情報に従って工程管理情報を表示領域に書き換えることができる。ここで、工程管理情報の情報量、例えば、可視情報として表示される指示内容のデータ量に応じてレイアウト情報を変更するようにしてもよい。表示させる可視情報は、例えば、文字，アルファベット，数字，記号，コードなどを含み、後述する書き換え可能装置により印字出力される。
【００２９】
図４は、本発明の一実施形態である情報記録媒体１０を用いた工程管理システムの構成例について説明するための図で、図中、２０は第１工程（部品登録工程）で、該第１工程２０は、情報記録媒体１０，書き換え可能（以下、リライタブルという）装置２１，情報記録媒体１０との間で情報を送受信するための通信手段２２，担当者が使用する端末装置２３を有し、３０は第２工程（加工工程）で、該第２工程３０は、第１工程２０からの情報記録媒体１０，リライタブル装置３１，情報記録媒体１０との間で情報を送受信するための通信手段３２，担当者が使用する端末装置３３を有し、４０は第３工程（納品工程）で、該第３工程４０は、第２工程３０からの情報記録媒体１０，リライタブル装置４１，情報記録媒体１０との間で情報を送受信するための通信手段４２，担当者が使用する端末装置４３を有し、５０は工程管理情報を登録した工程管理情報ＤＢである。尚、工程管理情報ＤＢ５０を含まないシステム構成としてもよい。本実施形態において情報記録媒体１０は、工程選択手段１４，工程管理情報読出手段１５，書換指示手段１６，工程管理情報テーブル及び表示領域管理テーブルをＩＣ領域１３に格納して有し、各工程（第１工程２０，第２工程３０，第３工程４０）に対応付けて設置したリライタブル装置２１，３１，４１により表示領域（以下、表示領域１１で代表する）の表示内容をその都度書き換えて使用される。また、通信手段２２，３２，４２には、情報記録媒体１０のＩＣ領域１３との間で非接触方式による情報の送受信を制御するための制御部と、該制御部に接続されたアンテナとを備えているものとする。
【００３０】
ここで、第１工程２０に含まれる構成を代表例として以下に説明する。尚、第２工程３０及び第３工程４０についても第１工程２０と同様の構成を有するため、ここでの説明は省略する。
まず、リライタブル装置２１は、第１工程２０に対応付けられており、通信手段２２を介して情報記録媒体１０と通信することができ、情報記録媒体１０の表示領域１１に表示された可視情報を書き換えることができる。尚、本実施形態ではリライタブル装置２１と通信手段２２とを別々に図示しているが、通信手段２２をリライタブル装置２１に物理的に含めるように構成しても良い。情報記録媒体１０の表示領域１１への印字／消去は、例えば、光（カラーの場合）や、熱（モノクロの場合）を利用した公知の書き換え技術により実現することができる。
また、リライタブル装置２１は、情報記録媒体１０のＩＣ領域１３に記憶した表示領域管理テーブルに含まれるレイアウト情報に従って表示領域１１を書き換えるようにしてもよい。また、リライタブル装置２１は、情報記録媒体１０が表示領域１１を複数箇所有する場合、ＩＣ領域１３に記憶した工程管理情報テーブルに含まれる書き換え可否制御情報に従って各表示領域の中で書き換え可能な表示領域を選択的に書き換えることもできる。
【００３１】
また、端末装置２３は、汎用コンピュータ（ＰＣ）により構成され、通信手段２２を介して情報記録媒体１０と通信することができ、担当者が工程間の伝達情報等を端末装置２３から入力することにより、その伝達情報を情報記録媒体１０のＩＣ領域１３に記憶させることができる。尚、本実施形態の端末装置２３は、デスクトップコンピュータとして図示しているが、携帯電話や、ＰＤＡ（Ｐｅｒｓｏｎａｌ  Ｄｉｇｉｔａｌ  Ａｓｓｉｓｔａｎｔ）、モバイルコンピュータなどであってもよく、情報記録媒体１０への情報書き込み／読み取り手段を有していればよい。尚、上記伝達情報には、自工程（本例では、第１工程２０）における作業結果、次の工程（第２工程３０）や未処理工程（第２工程３０及び第３工程４０）への伝達事項などを含むものとする。
【００３２】
情報記録媒体１０の記憶領域（ＲＯＭ１３ｂ３，ＥＥＰＲＯＭ１３ｂ４，ＲＡＭ１３ｂ５など）には、工程選択手段１４，工程管理情報読出手段１５，書換指示手段１６をプログラムとして格納し、また、前記した工程管理情報テーブル及び表示領域管理テーブルを予め格納しておくものとする。工程選択手段１４は、通信手段２２を介してアクセスしたリライタブル装置２１に対応した工程を前記記憶領域の中から選択する。工程管理情報読出手段１５は、工程選択手段１４により選択した工程に応じた工程管理情報を読み出す。書換指示手段１６は、工程管理情報読出手段１５から読み出した工程管理情報に基づいて表示領域１１を書き換えるようにリライタブル装置２１に指示する。ここで、ＩＣ領域１３として非接触型ＩＣ領域１３ｂを設けた場合、通信手段２２に近づけるだけで、情報交換を行うことが可能となる。尚、上記各手段を実行するプログラムの格納場所は、情報記録媒体１０でなくてもよく、通信手段２２又はリライタブル装置２１又は端末装置２３に格納するようにしてもよい。
【００３３】
情報記録媒体１０は、リライタブル装置３１に書き換え指示（例えば、第１工程２０→第２工程３０）を行う際に、第２工程３０において、第１工程２０からの情報記録媒体１０のＩＣ領域１３において当該書き換え指示する工程（第２工程３０）に関する伝達情報が記憶されているかどうか判断し、その結果、前記伝達情報が記憶されている場合、第２工程３０の工程管理情報及び伝達情報に基づいて表示領域１１を書き換えるようにリライタブル装置３１に指示する。この場合、リライタブル装置３１は、情報記録媒体１０からの書き換え指示に従って、表示領域１１に表示されている第１工程２０の工程管理情報を消去した後に、第２工程３０の工程管理情報を表示領域１１に印刷する。
【００３４】
ここで、幾つかの異なる工程が、その後の別の工程で統合されるような場合、具体的には、例えば、複数の部品を組み立てて新たな１部品（製品）を生産するような統合化工程を有する場合には、前記複数部品の工程に応じた複数の帳票（情報記録媒体）が１枚の情報記録媒体１０に統合処理される。具体例として、端末装置２３は、前記複数部品の工程に応じた帳票に統合化工程に対する伝達情報などが記憶されていた場合、その伝達情報を一旦記憶し、記憶した伝達情報を一括して情報記録媒体１０のＩＣ領域１３に記憶するようにする。統合化工程において、リライタブル装置２１は、ＩＣ領域１３に記憶された伝達情報を一括して表示領域１１に印刷出力させる。
【００３５】
また、工程管理情報ＤＢ５０は、工程毎に工程管理情報を登録したもので、この工程管理情報ＤＢ５０を有するシステム構成の場合、上記工程管理情報を情報記録媒体１０のＩＣ領域１３に予め記憶しておく必要はない。この場合、各工程において作業を実施するときに、端末装置２３は、自工程に関する工程管理情報を工程管理情報ＤＢ５０から取得し、その取得した工程管理情報を情報記録媒体１０のＩＣ領域１３にその都度記憶するようにする。更に、工程間における伝達情報を工程管理情報ＤＢ５０に登録するようにすれば、ＩＣ領域１３のメモリ容量を少なく構成することが可能となる。
【００３６】
以上、本発明の工程管理システムを生産管理に適用した場合について説明したが、本発明は、上記実施形態に限定されるものではなく、流れ作業を行うような工程管理全般に対して適用することができる。
【００３７】
本発明によると、流れ作業を行うような工程管理に対して、各工程に応じて情報記録媒体の表示内容を書き換えることで、次工程あるいは未処理工程に対する指示の効率化を図ることができると共に、繰り返し書き換えて利用することにより、紙資源を無駄に使用しなくて済み環境負荷を低減することができる。
また、情報記録媒体の表示に関して、指示内容に応じて表示領域を設定可能としたために、例えば、緊急時の伝達情報を拡大表示するといった表示方法が可能となる。このため、担当者等は視覚的に情報を確認することが可能となり、迅速な対応をとることができる。
また、複数部品を組み合わせるあるいは同じ種類の部品をまとめる統合化工程において、複数枚の帳票を１つの帳票に書き換えすることが可能となるため、紙資源を無駄に使用しなくて済み環境負荷を低減すると共に、帳票の確認回数が減ることにより、担当者のチェックミスなどを未然に防止することが可能となる。
【００３８】
図５は、本発明の他の実施形態である情報記録媒体１０を用いた工程管理システムの構成例について説明するための図で、図中、１はネットワーク、２０は第１工程（部品登録工程）で、該第１工程２０は、情報記録媒体１０，リライタブル装置２１，情報記録媒体１０との間で情報を送受信するための通信手段２２，担当者が使用する端末装置２３を有し、３０は第２工程（加工工程）で、該第２工程３０は、第１工程２０からの情報記録媒体１０，リライタブル装置３１，情報記録媒体１０との間で情報を送受信するための通信手段３２，担当者が使用する端末装置３３を有し、４０は第３工程（納品工程）で、該第３工程４０は、第２工程３０からの情報記録媒体１０，リライタブル装置４１，情報記録媒体１０との間で情報を送受信するための通信手段４２，担当者が使用する端末装置４３を有する。
【００３９】
図５において、６０は工程を管理するためのサーバ装置で、該サーバ装置６０は、工程選択手段６１，工程管理情報読出手段６２，書換指示手段６３、工程管理情報を登録した工程管理情報ＤＢ５０を有している。尚、工程管理情報ＤＢ５０をサーバ装置６０に含まないシステム構成としてもよい。本実施形態のシステム構成において、図４に示したシステム構成と異なる点は、上記各手段を実行するためのプログラムをサーバ装置６０側に有する点である。従って、本実施形態の情報記録媒体１０には上記プログラムを格納しておく必要はなく、前記した工程管理情報テーブル及び表示領域管理テーブルを含むデータのみが情報記録媒体１０のＩＣ領域１３に格納されている。
【００４０】
サーバ装置６０は、各工程（第１工程２０，第２工程３０，第３工程４０）に対応付けて設置したリライタブル装置２１，３１，４１と、端末装置２３，３３，４３と、通信手段２２，３２，４２とネットワーク１を介して接続されている。リライタブル装置２１，３１，４１により情報記録媒体１０の表示領域１１の表示内容をその都度書き換えて使用する。また、通信手段２２，３２，４２には、情報記録媒体１０のＩＣ領域１３との間で非接触方式による情報の送受信を制御するための制御部と、該制御部に接続されたアンテナとを備えているものとする。
【００４１】
ここで、第１工程２０に含まれる構成を代表例として以下に説明する。尚、第２工程３０及び第３工程４０についても第１工程２０と同様の構成を有するため、ここでの説明は省略する。
まず、リライタブル装置２１は、第１工程２０に対応付けられており、通信手段２２を介して情報記録媒体１０と通信することができ、サーバ装置６０からの指示に従って情報記録媒体１０の表示領域１１に表示された可視情報を書き換えることができる。尚、本実施形態ではリライタブル装置２１と通信手段２２とを別々に図示しているが、通信手段２２をリライタブル装置２１に物理的に含めるように構成しても良い。また、サーバ装置６０は、情報記録媒体１０のＩＣ領域１３に記憶した表示領域管理テーブルに含まれるレイアウト情報に従って表示領域１１を書き換えるようにリライタブル装置２１に指示するようにしてもよい。また、サーバ装置６０は、情報記録媒体１０が表示領域１１を複数箇所有する場合、ＩＣ領域１３に記憶した工程管理情報テーブルに含まれる書き換え可否制御情報に従って各表示領域の中で書き換え可能な表示領域を選択的に書き換えるようにリライタブル装置２１に指示することもできる。
【００４２】
また、端末装置２３は、汎用コンピュータ（ＰＣ）により構成され、通信手段２２を介して情報記録媒体１０と通信することができ、生産担当者が工程間の伝達情報等を端末装置２３から入力することにより、その伝達情報を情報記録媒体１０のＩＣ領域１３に記憶させることができる。尚、本実施形態の端末装置２３は、デスクトップコンピュータとして図示しているが、携帯電話や、ＰＤＡ（Ｐｅｒｓｏｎａｌ  Ｄｉｇｉｔａｌ  Ａｓｓｉｓｔａｎｔ）、モバイルコンピュータなどであってもよく、情報記録媒体１０への情報書き込み／読み取り手段を有していればよい。
【００４３】
サーバ装置６０には、工程選択手段６１，工程管理情報読出手段６２，書換指示手段６３を実行するためのプログラムを格納しておくものとする。工程選択手段６１は、情報記録媒体１０の記憶領域に記憶した工程の中から予め定めた優先順位に基づいて書き換え対象とする工程（本例では、第１工程２０）を選択する。この優先順位は、例えば工程順序等を設定しておく。工程管理情報読出手段６２は、工程選択手段６１により選択した工程に応じた工程管理情報を読み出す。書換指示手段６３は、工程管理情報読出手段６２により読み出した工程管理情報に基づいて情報記録媒体１０の表示領域１１を書き換えるように第１工程２０に応じたリライタブル装置２１に指示する。
【００４４】
サーバ装置６０は、リライタブル装置３１に書き換え指示（例えば、第１工程２０→第２工程３０）を行う際に、第２工程３０において、第１工程２０からの情報記録媒体１０のＩＣ領域１３において当該書き換え対象とする工程（第２工程３０）に関する伝達情報が記憶されているかどうか判断し、その結果、前記伝達情報が記憶されている場合、第２工程３０の工程管理情報及び伝達情報に基づいて情報記録媒体１０の表示領域１１を書き換えるようにリライタブル装置３１に指示する。この場合、リライタブル装置３１は、サーバ装置６０からの書き換え指示に従って、情報記録媒体１０の表示領域１１に表示されている第１工程２０の工程管理情報を消去した後に、第２工程３０の工程管理情報を表示領域１１に印刷する。
【００４５】
また、工程管理情報ＤＢ５０は、工程毎に工程管理情報を登録したもので、サーバ装置６０に工程管理情報ＤＢ５０を有するシステム構成の場合、上記工程管理情報を情報記録媒体１０のＩＣ領域１３に予め記憶しておく必要はない。この場合、各工程において作業を実施するときに、端末装置２３は、自工程に関する工程管理情報を工程管理情報ＤＢ５０から取得し、その取得した工程管理情報を情報記録媒体１０のＩＣ領域１３にその都度記憶するようにする。更に、工程間における伝達情報を工程管理情報ＤＢ５０に登録するようにすれば、ＩＣ領域１３のメモリ容量を少なく構成することが可能となる。
【００４６】
サーバ装置６０は、各工程（本例の場合、第１工程２０，第２工程３０，第３工程４０）に割り当てた標準リードタイムを記憶した標準リードタイムテーブル（図示せず）を有し、例えば、第２工程３０の作業を開始する際に、情報記録媒体１０の表示領域１１に前工程（第１工程２０）に応じた工程管理情報を印刷した時刻と、第１工程２０を行った後に、当該工程（第２工程３０）に応じた工程管理情報に基づいて表示領域１１を書き換えた時刻とに基づいて第１工程２０のリードタイムを算出し、算出した第１工程２０のリードタイムと前記標準リードタイムテーブルに記憶した第１工程２０に応じた標準リードタイムとを比較し、第２工程３０に応じた工程管理情報に基づいて表示領域１１を書き換える際に、前記比較結果に応じた連絡情報を表示領域１１に印刷することができる。この連絡情報とは、例えば、実際の第１工程２０のリードタイムが標準リードタイムと比較して長かった場合に、前工程（第１工程２０）の遅延を示す情報等が含まれる。
【００４７】
本発明によると、流れ作業を行うような工程管理に対して、各工程に応じて情報記録媒体の表示内容を書き換えることで、次工程あるいは未処理工程に対する指示の効率化を図ることができると共に、繰り返し書き換えて利用することにより、紙資源を無駄に使用しなくて済み環境負荷を低減することができる。
また、情報記録媒体の表示に関して、指示内容に応じて表示領域を設定可能としたために、例えば、緊急時の伝達情報を拡大表示するといった表示方法が可能となる。このため、担当者等は視覚的に情報を確認することが可能となり、迅速な対応をとることができる。
また、複数部品を組み合わせるあるいは同じ種類の部品をまとめる統合化工程において、複数枚の帳票を１つの帳票に書き換えすることが可能となるため、紙資源を無駄に使用しなくて済み環境負荷を低減すると共に、帳票の確認回数が減ることにより、担当者のチェックミスなどを未然に防止することが可能となる。
また、サーバによって工程管理情報や伝達情報を一元管理することで、工程間において情報を共有化することができるため、情報交換がスムーズに行われるようになる。
【００４８】
図６は、本発明の他の実施形態である情報記録媒体１０を用いた工程管理システムの構成例について説明するための図で、図中、７０はリライタブル装置で、該リライタブル装置７０は、工程選択手段７１，工程管理情報読出手段７２，書換手段７３，選択画面７４を有し、８０は通信手段である。情報記録媒体１０は、通信手段８０を介してリライタブル装置７０にアクセス可能とする。本実施形態のシステム構成において、図４及び図５に示したシステム構成と異なる点は、上記各手段を実行するためのプログラムをリライタブル装置７０側に有する点である。従って、本実施形態の情報記録媒体１０には上記プログラムを格納しておく必要はなく、前記した工程管理情報テーブル及び表示領域管理テーブルを含むデータのみが情報記録媒体１０のＩＣ領域１３に格納されている。更に、選択画面７４をリライタブル装置７０に設けたことで、必ずしも各工程にリライタブル装置７０を設置する必要がなくなる。但し、リライタブル装置７０を各工程に設置してもよいのは言うまでもない。選択画面７４には、情報記録媒体１０に格納された工程の一覧リストが表示され、生産担当者等により選択された工程に応じて工程管理情報が情報記録媒体１０の表示領域１１に印刷される。
【００４９】
ここで、リライタブル装置７０が有する各手段について以下に説明する。
まず、工程選択手段７１は、情報記録媒体１０のＩＣ領域１３に記憶した工程の中から所望の工程を選択する。これは、選択画面７４の工程リストから選択することができる。工程管理情報読出手段７２は、工程選択手段７１により選択した工程に応じた工程管理情報をＩＣ領域１３から読み出す。書換手段７３は、工程管理情報読出手段７２により読み出した工程管理情報に基づいて情報記録媒体１０の表示領域１１を書き換える。尚、本実施形態において端末装置を図示していないが、図４及び図５に示した実施形態と同様に、担当者が使用する端末装置から工程間における伝達情報を入力することができる。
【００５０】
図７は、本発明が適用される情報記録媒体を用いた工程管理方法の一例を説明するためのフロー図である。本例は図４に示したシステム構成に基づいて説明するものとする。まず、第１工程２０において、情報記録媒体１０は、ＩＣ領域１３（以下、記憶領域という）に工程管理情報が記憶されているかどうか判断し（ステップＳ１）、工程管理情報が記憶されていない場合（ＮＯの場合）、工程管理情報ＤＢ５０から工程管理情報を取得して前記記憶領域に記憶する（ステップＳ２）。上記ステップＳ１において工程管理情報が記憶されている場合（ＹＥＳの場合）、ステップＳ３に移行する。
【００５１】
ステップＳ３において、情報記録媒体１０は、第１工程２０のリライタブル装置２１にアクセスし（ステップＳ３）、アクセスしたリライタブル装置２１に対応した第１工程２０を選択する（ステップＳ４）。次に、他の工程からの伝達情報が記憶領域に記憶されているかどうか判断し（ステップＳ５）、他の工程からの伝達情報が記憶されている場合（ＹＥＳの場合）、工程管理情報と伝達情報とを記憶領域から読み出す（ステップＳ６）。また、上記ステップＳ５において、他の工程からの伝達情報が記憶されていない場合（ＮＯの場合）、工程管理情報を記憶領域から読み出す（ステップＳ７）。
【００５２】
次に、情報記録媒体１０は、読み出した情報に基づいて表示領域１１を書き換えるようにリライタブル装置２１に指示する（ステップＳ８）。リライタブル装置２１は、情報記録媒体１０からの指示に基づいて表示領域１１を書き換える（ステップＳ９）。担当者は、情報記録媒体１０の表示に従って第１工程２０を実施する（ステップＳ１０）。次に、情報記録媒体１０は、端末装置２３から他の工程への伝達情報が入力されたかどうか判断し（ステップＳ１１）、伝達情報が入力された場合（ＹＥＳの場合）、入力された伝達情報を記憶領域に記憶し（ステップＳ１２）、ステップＳ１４に移行する。また、上記ステップＳ１１において、伝達情報が入力されていない場合（ＮＯの場合）、全工程が終了したかどうか判断し（ステップＳ１３）、全工程が終了した場合（ＹＥＳの場合）、そのまま終了する。上記ステップＳ１３において、全工程が終了していない場合（ＮＯの場合）、ステップＳ１４に移行する。次に、ステップＳ１４において、情報記録媒体１０を第１工程２０から第２工程３０に渡して、第２工程３０において、ステップＳ１からの一連の処理を繰り返す。
【００５３】
図８は、本発明が適用される情報記録媒体を用いた工程管理方法の他の例を説明するためのフロー図である。本例は図５に示したシステム構成に基づいて説明するものとする。まず、第１工程２０において、サーバ装置６０は、情報記録媒体１０に設けたＩＣ領域１３（以下、記憶領域という）に工程管理情報が記憶されているかどうか判断し（ステップＳ２１）、工程管理情報が記憶されていない場合（ＮＯの場合）、工程管理情報ＤＢ５０から工程管理情報を取得して前記記憶領域に記憶する（ステップＳ２２）。上記ステップＳ２１において工程管理情報が記憶されている場合（ＹＥＳの場合）、ステップＳ２３に移行する。
【００５４】
ステップＳ２３において、サーバ装置６０は、優先順位に従って書き換え対象とする工程（本例では、第２工程３０を書き換え対象とする）を選択する（ステップＳ２３）。次に、他の工程からの伝達情報が記憶領域に記憶されているかどうか判断し（ステップＳ２４）、他の工程からの伝達情報が記憶されている場合（ＹＥＳの場合）、工程管理情報と伝達情報とを記憶領域から読み出す（ステップＳ２５）。また、上記ステップＳ２４において、他の工程からの伝達情報が記憶されていない場合（ＮＯの場合）、工程管理情報を記憶領域から読み出す（ステップＳ２６）。
【００５５】
次に、情報記録媒体１０は、読み出した情報に基づいて情報記録媒体１０の表示領域１１を書き換えるように前記工程（第２工程３０）に応じたリライタブル装置３１に指示する（ステップＳ２７）。リライタブル装置３１は、サーバ装置６０からの指示に基づいて表示領域１１を書き換える（ステップＳ２８）。担当者は、情報記録媒体１０の表示に従って第２工程３０を実施する（ステップＳ２９）。次に、サーバ装置６０は、端末装置３３から他の工程への伝達情報が入力されたかどうか判断し（ステップＳ３０）、伝達情報が入力された場合（ＹＥＳの場合）、入力された伝達情報を情報記録媒体１０の記憶領域に記憶し（ステップＳ３１）、ステップＳ３３に移行する。また、上記ステップＳ３０において、伝達情報が入力されていない場合（ＮＯの場合）、全工程が終了したかどうか判断し（ステップＳ３２）、全工程が終了した場合（ＹＥＳの場合）、そのまま終了する。上記ステップＳ３２において、全工程が終了していない場合（ＮＯの場合）、ステップＳ３３に移行する。次に、ステップＳ３３において、情報記録媒体１０を第２工程３０から次工程の第３工程４０に渡して、第３工程４０において、ステップＳ２１からの一連の処理を繰り返す。
【００５６】
これまで、情報記録媒体を用いて生産工程の管理を行うためのシステムとして説明してきたが、本発明は、流れ作業的な工程管理、運用を行う工程管理全般について適用が可能であり、情報記録媒体と、その表示領域，ＩＣ領域の大きさを任意に設定することにより、工程管理の実施形態に応じた管理、運用を行うことができる。
【００５７】
以上、本発明の情報記録媒体を用いた工程管理システムにおける各機能を中心に各実施形態を説明してきたが、本発明は、工程管理システムにおける各ステップを実行する方法としても説明したように工程管理方法としての形態もとることができる。また、この各機能を有する工程管理システムと同様に、コンピュータに工程管理システムとして機能させるためのプログラムとしての形態も、また、そのプログラムを記録した記録媒体としての形態も可能である。
【００５８】
本発明による工程管理の機能を実現するためのプログラムやデータを記憶した記録媒体の実施形態について説明する。記録媒体としては、具体的には、ＣＤ―ＲＯＭ（―Ｒ／―ＲＷ）、光磁気ディスク、ＤＶＤ―ＲＯＭ、ＦＤ、フラッシュメモリ、メモリカードや、メモリスティック及びその他各種ＲＯＭやＲＡＭ等が想定でき、これら記録媒体に上述した本発明の各実施形態のシステムとしての機能をコンピュータに実行させ、工程管理の機能を実現するためのプログラムを記録して流通させることにより、当該機能の実現を容易にする。そしてコンピュータ等の情報処理装置に上記のごとくの記録媒体を装着して情報処理装置によりプログラムを読み出すか、若しくは情報処理装置が備えている記憶媒体に当該プログラムを記憶させておき、必要に応じて読み出すことにより、本発明に関わる工程管理の機能を実行することができる。
【図面の簡単な説明】
【００５９】
【図１】本発明の工程管理システムに適用する情報記録媒体の構成例を説明するための図である。
【図２】図１に示したＩＣ領域の構成例を示す図である。
【図３】情報記録媒体のＩＣ領域に格納された工程管理情報テーブル及び表示領域管理テーブルの一例を説明するための図である。
【図４】本発明の一実施形態である情報記録媒体を用いた工程管理システムの構成例について説明するための図である。
【図５】本発明の他の実施形態である情報記録媒体を用いた工程管理システムの構成例について説明するための図である。
【図６】本発明の他の実施形態である情報記録媒体を用いた工程管理システムの構成例について説明するための図である。
【図７】本発明が適用される情報記録媒体を用いた工程管理方法の一例を説明するためのフロー図である。
【図８】本発明が適用される情報記録媒体を用いた工程管理方法の他の例を説明するためのフロー図である。
【符号の説明】
【００６０】
１…ネットワーク、１０…情報記録媒体、１１…第１の表示領域（表示領域）、１２…第２の表示領域、１３…ＩＣ領域（記憶領域）、１３ａ…接触型ＩＣ領域、１３ａ１…接点部、１３ａ２，１３ｂ２…ＣＰＵ、１３ａ３，１３ｂ３…ＲＯＭ、１３ａ４，１３ｂ４…ＥＥＰＲＯＭ、１３ａ５，１３ｂ５…ＲＡＭ、１３ｂ…非接触型ＩＣ領域、１３ｂ１…アンテナ部、１４，６１，７１…工程選択手段、１５，６２，７２…工程管理情報読出手段、１６，６３…書換指示手段、２０…第１工程、２１，３１，４１，７０…書き換え可能（リライタブル）装置、２２，３２，４２，８０…通信手段、２３，３３，４３…端末装置、３０…第２工程、４０…第３工程、５０…工程管理情報ＤＢ、６０…サーバ装置、７３…書換手段、７４…選択画面。
【図２】
2006286020.tif 000003
【図１】
2006286020.tif 000004
【図３】
2006286020.tif 000005
【図４】
2006286020.tif 000006
【図５】
2006286020.tif 000007
【図６】
2006286020.tif 000008
【図７】
2006286020.tif 000009
【図８】
2006286020.tif 000010
【手続補正書】
【提出日】平成18年7月5日(2006.7.5)
【手続補正１】
【補正対象書類名】特許請求の範囲
【補正対象項目名】全文
【補正方法】変更
【補正の内容】
【特許請求の範囲】
【請求項１】
書き換え対象とする工程に関する伝達情報を記憶する記憶領域と該記憶領域に記憶した伝達情報を可視情報として表示するための表示領域とを有する情報記録媒体と、工程を管理するためのサーバ装置と、前記情報記録媒体とサーバ装置との間で通信を行うための通信手段と、各工程に対応付けられ且つ前記情報記録媒体の表示領域に表示された可視情報を書き換えするための書き換え可能装置とを有し、前記サーバ装置と前記書き換え可能装置とがネットワークを介して接続された情報記録媒体を用いた工程管理システムにおいて、
前記サーバ装置は、前記書き換え可能装置に書き換え指示を行う際に、書き換え対象とする工程に関する伝達情報が前記記憶領域に記憶されているかどうか判断し、前記伝達情報が記憶されている場合、前記伝達情報に基づいて前記表示領域を書き換えるように前記書き換え可能装置に指示する書換指示手段を有し、
前記書き換え可能装置は、前記書換指示手段からの指示に従って、前記表示領域に可視情報を印刷することを特徴とする情報記録媒体を用いた工程管理システム。
【請求項２】
請求項１に記載の情報記録媒体を用いた工程管理システムにおいて、前記伝達情報は、前工程の作業結果、処理済み工程の作業結果、次工程への伝達事項、未処理工程への伝達事項のいずれか１つ以上を含むことを特徴とする情報記録媒体を用いた工程管理システム。
【請求項３】
請求項１又は２に記載の情報記録媒体を用いた工程管理システムにおいて、前記サーバ装置は、担当者が使用する端末装置とネットワークを介して接続可能とし、工程間における伝達情報の入力を前記端末装置から受け付けて、該受け付けた伝達情報を前記情報記録媒体の記憶領域に記憶させ、該情報記録媒体の表示領域を書き換える際に、前記記憶領域において前記書き換え対象の工程に関する伝達情報が記憶されているかどうか判断し、その結果、前記伝達情報が記憶されている場合、前記工程の工程管理情報及び伝達情報に基づいて前記表示領域を書き換えるように前記書き換え可能装置に指示することを特徴とする情報記録媒体を用いた工程管理システム。
【請求項４】
請求項３に記載の情報記録媒体を用いた工程管理システムにおいて、前記サーバ装置は、所定の工程毎に工程管理に関する情報を登録した工程管理情報ＤＢにアクセス可能とし、前記工程管理情報ＤＢに登録した工程管理情報を前記情報記録媒体の記憶領域に記憶させることを特徴とする情報記録媒体を用いた工程管理システム。
【請求項５】
請求項１乃至４のいずれか１に記載の情報記録媒体を用いた工程管理システムにおいて、前記情報記録媒体は、前記工程管理情報として、工程毎に、工程内容，工程の識別情報，前記表示領域に表示させる情報の種類，前記各工程に定めた優先順位のいずれか複数を前記記憶領域に記憶していることを特徴とする情報記録媒体を用いた工程管理システム。
【請求項６】
請求項１乃至５のいずれか１に記載の情報記録媒体を用いた工程管理システムにおいて、前記サーバ装置は、前記情報記録媒体の表示領域を書き換える際に、該表示領域に表示されている前工程又は処理済工程の工程管理情報を消去した後に、前記書き換え対象とする工程の工程管理情報を前記表示領域に印刷するように前記書き換え可能装置に指示することを特徴とする情報記録媒体を用いた工程管理システム。
【請求項７】
請求項１乃至６のいずれか１に記載の情報記録媒体を用いた工程管理システムにおいて、前記情報記録媒体は、前記表示領域の数，表示位置，表示面積のいずれか１又は複数を含むレイアウト情報を前記記憶領域に記憶して有し、前記サーバ装置は、前記記憶領域に記憶したレイアウト情報に従って前記表示領域を書き換えるように前記書き換え可能装置に指示することを特徴とする情報記録媒体を用いた工程管理システム。
【請求項８】
請求項７に記載の情報記録媒体を用いた工程管理システムにおいて、前記サーバ装置は、前記情報記録媒体の記憶領域に記憶した工程管理情報の情報量に応じて前記レイアウト情報を変更できるようにしたことを特徴とする情報記録媒体を用いた工程管理システム。
【請求項９】
請求項１乃至８のいずれか１に記載の情報記録媒体を用いた工程管理システムにおいて、前記情報記録媒体は、前記表示領域を同一面上に複数箇所設けた場合、各表示領域について書き換えの可否を制御するための書き換え可否制御情報を前記記憶領域に記憶して有し、前記サーバ装置は、前記記憶領域に記憶した書き換え可否制御情報に従って前記各表示領域の中で書き換え可能な表示領域を選択的に書き換えるように前記書き換え可能装置に指示することを特徴とする情報記録媒体を用いた工程管理システム。
【請求項１０】
請求項１乃至９のいずれか１に記載の情報記録媒体を用いた工程管理システムにおいて、複数の部品を統合して１つの部品又は製品とするための統合化工程を有する場合、前記サーバ装置は、前記統合化工程において、前記複数部品の工程に応じた複数の情報記録媒体を１つの情報記録媒体に統合化して書き換えるように前記書き換え可能装置に指示できるようにしたことを特徴とする情報記録媒体を用いた工程管理システム。
【請求項１１】
請求項１乃至１０のいずれか１に記載の情報記録媒体を用いた工程管理システムにおいて、前記サーバ装置は、前記各工程に割り当てた標準リードタイムを記憶した標準リードタイムテーブルを有し、前記情報記録媒体の表示領域に前工程に応じた工程管理情報を印刷した時刻と、前記前工程を行った後に、当該工程に応じた工程管理情報に基づいて前記表示領域を書き換えた時刻とに基づいて、前記前工程のリードタイムを算出し、該算出した前工程のリードタイムと前記標準リードタイムテーブルに記憶した前記前工程に応じた標準リードタイムとを比較し、当該工程に応じた工程管理情報に基づいて前記表示領域を書き換える際に、前記比較結果に応じた連絡情報を前記表示領域に印刷するように前記書き換え可能装置へ指示することを特徴とする情報記録媒体を用いた工程管理システム。
【請求項１２】
請求項１乃至１１のいずれか１に記載の情報記録媒体を用いた工程管理システムにおいて、前記情報記録媒体は、前記記憶領域と演算処理領域とからなるＩＣ部と、該ＩＣ部に接続されたアンテナ部とを有し、非接触方式による情報の送受信を可能とすることを特徴とする情報記録媒体を用いた工程管理システム。
【請求項１３】
請求項１乃至１２のいずれか１に記載の情報記録媒体を用いた工程管理システムにおいて、前記通信手段は、前記情報記録媒体との間で非接触方式による情報の送受信を制御するための制御部と、該制御部に接続されたアンテナとを有することを特徴とする情報記録媒体を用いた工程管理システム。
【請求項１４】
書き換え対象とする工程に関する伝達情報を記憶する記憶領域と該記憶領域に記憶した伝達情報を可視情報として表示するための表示領域とを有する情報記録媒体と、工程を管理するためのサーバ装置と、前記情報記録媒体とサーバ装置との間で通信を行うための通信手段と、各工程に対応付けられ且つ前記情報記録媒体の表示領域に表示された可視情報を書き換えするための書き換え可能装置とを用いて工程を管理するための情報記録媒体を用いた工程管理方法において、
前記サーバ装置が、前記書き換え可能装置にネットワークを介して書き換え指示を行う際に、書き換え対象とする工程に関する伝達情報が前記記憶領域に記憶されているかどうか判断し、前記伝達情報が記憶されている場合、前記伝達情報に基づいて前記表示領域を書き換えるように前記書き換え可能装置に指示するステップを有し、
前記書き換え可能装置が、前記サーバ装置からの指示に従って、前記表示領域に可視情報を印刷するステップを有することを特徴とする情報記録媒体を用いた工程管理方法。
【請求項１５】
請求項１４に記載の情報記録媒体を用いた工程管理方法において、前記伝達情報は、前工程の作業結果、処理済み工程の作業結果、次工程への伝達事項、未処理工程への伝達事項のいずれか１つ以上を含むことを特徴とする情報記録媒体を用いた工程管理方法。
【請求項１６】
請求項１４又は１５に記載の情報記録媒体を用いた工程管理方法において、前記サーバ装置が、担当者が使用する端末装置とネットワークを介して接続され、工程間における伝達情報の入力を前記端末装置から受け付けて、該受け付けた伝達情報を前記情報記録媒体の記憶領域に記憶させ、前記情報記録媒体の表示領域を書き換える際に、前記記憶領域において前記書き換え対象の工程に関する伝達情報が記憶されているかどうか判断し、その結果、前記伝達情報が記憶されている場合、前記工程の工程管理情報及び伝達情報に基づいて前記表示領域を書き換えるように前記書き換え可能装置に指示することを特徴とする情報記録媒体を用いた工程管理方法。
【請求項１７】
請求項１６に記載の情報記録媒体を用いた工程管理方法において、前記サーバ装置が、所定の工程毎に工程管理に関する情報を登録した工程管理情報ＤＢにアクセスし、前記工程管理情報ＤＢに登録した工程管理情報を前記情報記録媒体の記憶領域に記憶させることを特徴とする情報記録媒体を用いた工程管理方法。
【請求項１８】
請求項１４乃至１７のいずれか１に記載の情報記録媒体を用いた工程管理方法において、前記情報記録媒体が、前記工程管理情報として、工程毎に、工程内容，工程の識別情報，前記表示領域に表示させる情報の種類，前記各工程に定めた優先順位のいずれか複数を前記記憶領域に記憶することを特徴とする情報記録媒体を用いた工程管理方法。
【請求項１９】
請求項１４乃至１８のいずれか１に記載の情報記録媒体を用いた工程管理方法において、前記サーバ装置が、前記情報記録媒体の表示領域を書き換える際に、該表示領域に表示されている前工程又は処理済工程の工程管理情報を消去した後に、前記書き換え対象とする工程の工程管理情報を前記表示領域に印刷するように前記書き換え可能装置に指示することを特徴とする情報記録媒体を用いた工程管理方法。
【請求項２０】
請求項１４乃至１９のいずれか１に記載の情報記録媒体を用いた工程管理方法において、前記情報記録媒体が、前記表示領域の数，表示位置，表示面積のいずれか１又は複数を含むレイアウト情報を前記記憶領域に記憶して有し、前記サーバ装置が、前記記憶領域に記憶したレイアウト情報に従って前記表示領域を書き換えるように前記書き換え可能装置に指示することを特徴とする情報記録媒体を用いた工程管理方法。
【請求項２１】
請求項２０に記載の情報記録媒体を用いた工程管理方法において、前記サーバ装置が、前記情報記録媒体の記憶領域に記憶した工程管理情報の情報量に応じて前記レイアウト情報を変更できるようにしたことを特徴とする情報記録媒体を用いた工程管理方法。
【請求項２２】
請求項１４乃至２１のいずれか１に記載の情報記録媒体を用いた工程管理方法において、前記情報記録媒体が、前記表示領域を同一面上に複数箇所設けた場合、各表示領域について書き換えの可否を制御するための書き換え可否制御情報を前記記憶領域に記憶して有し、前記サーバ装置が、前記記憶領域に記憶した書き換え可否制御情報に従って前記各表示領域の中で書き換え可能な表示領域を選択的に書き換えるように前記書き換え可能装置に指示することを特徴とする情報記録媒体を用いた工程管理方法。
【請求項２３】
請求項１４乃至２２のいずれか１に記載の情報記録媒体を用いた工程管理方法において、複数の部品を統合して１つの部品又は製品とするための統合化工程を有する場合、前記サーバ装置が、前記統合化工程において、前記複数部品の工程に応じた複数の情報記録媒体を１つの情報記録媒体に統合化して書き換えるように前記書き換え可能装置に指示することを特徴とする情報記録媒体を用いた工程管理方法。
【請求項２４】
請求項１４乃至２３のいずれか１に記載の情報記録媒体を用いた工程管理方法において、前記サーバ装置が、前記各工程に割り当てた標準リードタイムを記憶した標準リードタイムテーブルを有し、前記情報記録媒体の表示領域に前工程に応じた工程管理情報を印刷した時刻と、前記前工程を行った後に、当該工程に応じた工程管理情報に基づいて前記表示領域を書き換えた時刻とに基づいて、前記前工程のリードタイムを算出し、該算出した前工程のリードタイムと前記標準リードタイムテーブルに記憶した前記前工程に応じた標準リードタイムとを比較し、当該工程に応じた工程管理情報に基づいて前記表示領域を書き換える際に、前記比較結果に応じた連絡情報を前記表示領域に印刷するように前記書き換え可能装置へ指示することを特徴とする情報記録媒体を用いた工程管理方法。
【請求項２５】
請求項１乃至１３のいずれか１に記載の情報記録媒体を用いた工程管理システムとしての機能を実行するための、あるいは、請求項１４乃至２４のいずれか１に記載の情報記録媒体を用いた工程管理方法を実行するためのプログラム。
【請求項２６】
請求項２５に記載のプログラムを記録したコンピュータ読み取り可能な記録媒体。
【手続補正３】
【補正対象書類名】明細書
【補正対象項目名】０００１
【補正方法】変更
【補正の内容】
【０００１】
本発明は、情報記録媒体を用いた工程管理システム、方法、プログラム、及び記録媒体、より詳細には、工程管理に関する情報を記憶した記憶領域と該工程管理情報を可視情報として書き換え可能に表示するための表示領域とを有する情報記録媒体を用いた工程管理システム、方法、プログラム、及び記録媒体に関する。
【手続補正４】
【補正対象書類名】明細書
【補正対象項目名】０００５
【補正方法】変更
【補正の内容】
【０００５】
本発明は、上述のごとき実情に鑑みてなされたものであり、所定の工程毎に工程管理に関する情報を記憶した記憶領域と該記憶領域に記憶した工程管理情報を可視情報として書き換え可能に表示するための表示領域とを有する情報記録媒体と、その情報記録媒体の表示領域に表示された可視情報を書き換えするための書き換え可能装置とを用いて、効率的な工程管理を行うための工程管理システム、方法、プログラム及び記録媒体を提供すること、を目的としてなされたものである。
【手続補正５】
【補正対象書類名】明細書
【補正対象項目名】０００６
【補正方法】変更
【補正の内容】
【０００６】
請求項１の発明は、書き換え対象とする工程に関する伝達情報を記憶する記憶領域と該記憶領域に記憶した伝達情報を可視情報として表示するための表示領域とを有する情報記録媒体と、工程を管理するためのサーバ装置と、前記情報記録媒体とサーバ装置との間で通信を行うための通信手段と、各工程に対応付けられ且つ前記情報記録媒体の表示領域に表示された可視情報を書き換えするための書き換え可能装置とを有し、前記サーバ装置と前記書き換え可能装置とがネットワークを介して接続された情報記録媒体を用いた工程管理システムにおいて、前記サーバ装置は、前記書き換え可能装置に書き換え指示を行う際に、書き換え対象とする工程に関する伝達情報が前記記憶領域に記憶されているかどうか判断し、前記伝達情報が記憶されている場合、前記伝達情報に基づいて前記表示領域を書き換えるように前記書き換え可能装置に指示する書換指示手段を有し、前記書き換え可能装置は、前記書換指示手段からの指示に従って、前記表示領域に可視情報を印刷することを特徴としたものである。
請求項２の発明は、請求項１の発明において、前記伝達情報は、前工程の作業結果、処理済み工程の作業結果、次工程への伝達事項、未処理工程への伝達事項のいずれか１つ以上を含むことを特徴としたものである。
【手続補正６】
【補正対象書類名】明細書
【補正対象項目名】０００７
【補正方法】変更
【補正の内容】
【０００７】
請求項３の発明は、請求項１又は２の発明において、前記サーバ装置は、担当者が使用する端末装置とネットワークを介して接続可能とし、工程間における伝達情報の入力を前記端末装置から受け付けて、該受け付けた伝達情報を前記情報記録媒体の記憶領域に記憶させ、該情報記録媒体の表示領域を書き換える際に、前記記憶領域において前記書き換え対象の工程に関する伝達情報が記憶されているかどうか判断し、その結果、前記伝達情報が記憶されている場合、前記工程の工程管理情報及び伝達情報に基づいて前記表示領域を書き換えるように前記書き換え可能装置に指示することを特徴としたものである。
【手続補正７】
【補正対象書類名】明細書
【補正対象項目名】０００８
【補正方法】変更
【補正の内容】
【０００８】
請求項４の発明は、請求項３の発明において、前記サーバ装置は、所定の工程毎に工程管理に関する情報を登録した工程管理情報ＤＢにアクセス可能とし、前記工程管理情報ＤＢに登録した工程管理情報を前記情報記録媒体の記憶領域に記憶させることを特徴としたものである。
【手続補正８】
【補正対象書類名】明細書
【補正対象項目名】０００９
【補正方法】変更
【補正の内容】
【０００９】
請求項５の発明は、請求項１乃至４のいずれか１の発明において、前記情報記録媒体は、前記工程管理情報として、工程毎に、工程内容，工程の識別情報，前記表示領域に表示させる情報の種類，前記各工程に定めた優先順位のいずれか複数を前記記憶領域に記憶していることを特徴としたものである。
【手続補正９】
【補正対象書類名】明細書
【補正対象項目名】００１０
【補正方法】変更
【補正の内容】
【００１０】
請求項６の発明は、請求項１乃至５のいずれか１の発明において、前記サーバ装置は、前記情報記録媒体の表示領域を書き換える際に、該表示領域に表示されている前工程又は処理済工程の工程管理情報を消去した後に、前記書き換え対象とする工程の工程管理情報を前記表示領域に印刷するように前記書き換え可能装置に指示することを特徴としたものである。
【手続補正１０】
【補正対象書類名】明細書
【補正対象項目名】００１１
【補正方法】変更
【補正の内容】
【００１１】
請求項７の発明は、請求項１乃至６のいずれか１の発明において、前記情報記録媒体は、前記表示領域の数，表示位置，表示面積のいずれか１又は複数を含むレイアウト情報を前記記憶領域に記憶して有し、前記サーバ装置は、前記記憶領域に記憶したレイアウト情報に従って前記表示領域を書き換えるように前記書き換え可能装置に指示することを特徴としたものである。
【手続補正１１】
【補正対象書類名】明細書
【補正対象項目名】００１２
【補正方法】変更
【補正の内容】
【００１２】
請求項８の発明は、請求項７の発明において、前記サーバ装置は、前記情報記録媒体の記憶領域に記憶した工程管理情報の情報量に応じて前記レイアウト情報を変更できるようにしたことを特徴としたものである。
【手続補正１２】
【補正対象書類名】明細書
【補正対象項目名】００１３
【補正方法】変更
【補正の内容】
【００１３】
請求項９の発明は、請求項１乃至８のいずれか１の発明において、前記情報記録媒体は、前記表示領域を同一面上に複数箇所設けた場合、各表示領域について書き換えの可否を制御するための書き換え可否制御情報を前記記憶領域に記憶して有し、前記サーバ装置は、前記記憶領域に記憶した書き換え可否制御情報に従って前記各表示領域の中で書き換え可能な表示領域を選択的に書き換えるように前記書き換え可能装置に指示することを特徴としたものである。
【手続補正１３】
【補正対象書類名】明細書
【補正対象項目名】００１４
【補正方法】変更
【補正の内容】
【００１４】
請求項１０の発明は、請求項１乃至９のいずれか１の発明において、複数の部品を統合して１つの部品又は製品とするための統合化工程を有する場合、前記サーバ装置は、前記統合化工程において、前記複数部品の工程に応じた複数の情報記録媒体を１つの情報記録媒体に統合化して書き換えるように前記書き換え可能装置に指示できるようにしたことを特徴としたものである。
【手続補正１４】
【補正対象書類名】明細書
【補正対象項目名】００１５
【補正方法】変更
【補正の内容】
【００１５】
請求項１１の発明は、請求項１乃至１０のいずれか１の発明において、前記サーバ装置は、前記各工程に割り当てた標準リードタイムを記憶した標準リードタイムテーブルを有し、前記情報記録媒体の表示領域に前工程に応じた工程管理情報を印刷した時刻と、前記前工程を行った後に、当該工程に応じた工程管理情報に基づいて前記表示領域を書き換えた時刻とに基づいて、前記前工程のリードタイムを算出し、該算出した前工程のリードタイムと前記標準リードタイムテーブルに記憶した前記前工程に応じた標準リードタイムとを比較し、当該工程に応じた工程管理情報に基づいて前記表示領域を書き換える際に、前記比較結果に応じた連絡情報を前記表示領域に印刷するように前記書き換え可能装置へ指示することを特徴としたものである。
【手続補正１５】
【補正対象書類名】明細書
【補正対象項目名】００１６
【補正方法】変更
【補正の内容】
【００１６】
請求項１２の発明は、請求項１乃至１１のいずれか１の発明において、前記情報記録媒体は、前記記憶領域と演算処理領域とからなるＩＣ部と、該ＩＣ部に接続されたアンテナ部とを有し、非接触方式による情報の送受信を可能とすることを特徴としたものである。
【手続補正１６】
【補正対象書類名】明細書
【補正対象項目名】００１７
【補正方法】変更
【補正の内容】
【００１７】
請求項１３の発明は、請求項１乃至１２のいずれか１の発明において、前記通信手段は、前記情報記録媒体との間で非接触方式による情報の送受信を制御するための制御部と、該制御部に接続されたアンテナとを有することを特徴としたものである。
請求項１４の発明は、書き換え対象とする工程に関する伝達情報を記憶する記憶領域と該記憶領域に記憶した伝達情報を可視情報として表示するための表示領域とを有する情報記録媒体と、工程を管理するためのサーバ装置と、前記情報記録媒体とサーバ装置との間で通信を行うための通信手段と、各工程に対応付けられ且つ前記情報記録媒体の表示領域に表示された可視情報を書き換えするための書き換え可能装置とを用いて工程を管理するための情報記録媒体を用いた工程管理方法において、前記サーバ装置が、前記書き換え可能装置にネットワークを介して書き換え指示を行う際に、書き換え対象とする工程に関する伝達情報が前記記憶領域に記憶されているかどうか判断し、前記伝達情報が記憶されている場合、前記伝達情報に基づいて前記表示領域を書き換えるように前記書き換え可能装置に指示するステップを有し、前記書き換え可能装置が、前記サーバ装置からの指示に従って、前記表示領域に可視情報を印刷するステップを有することを特徴としたものである。
請求項１５の発明は、請求項１４の発明において、前記伝達情報は、前工程の作業結果、処理済み工程の作業結果、次工程への伝達事項、未処理工程への伝達事項のいずれか１つ以上を含むことを特徴としたものである。
請求項１６の発明は、請求項１４又は１５の発明において、前記サーバ装置が、担当者が使用する端末装置とネットワークを介して接続され、工程間における伝達情報の入力を前記端末装置から受け付けて、該受け付けた伝達情報を前記情報記録媒体の記憶領域に記憶させ、前記情報記録媒体の表示領域を書き換える際に、前記記憶領域において前記書き換え対象の工程に関する伝達情報が記憶されているかどうか判断し、その結果、前記伝達情報が記憶されている場合、前記工程の工程管理情報及び伝達情報に基づいて前記表示領域を書き換えるように前記書き換え可能装置に指示することを特徴としたものである。
請求項１７の発明は、請求項１６の発明において、前記サーバ装置が、所定の工程毎に工程管理に関する情報を登録した工程管理情報ＤＢにアクセスし、前記工程管理情報ＤＢに登録した工程管理情報を前記情報記録媒体の記憶領域に記憶させることを特徴としたものである。
請求項１８の発明は、請求項１４乃至１７のいずれか１の発明において、前記情報記録媒体が、前記工程管理情報として、工程毎に、工程内容，工程の識別情報，前記表示領域に表示させる情報の種類，前記各工程に定めた優先順位のいずれか複数を前記記憶領域に記憶することを特徴としたものである。
請求項１９の発明は、請求項１４乃至１８のいずれか１の発明において、前記サーバ装置が、前記情報記録媒体の表示領域を書き換える際に、該表示領域に表示されている前工程又は処理済工程の工程管理情報を消去した後に、前記書き換え対象とする工程の工程管理情報を前記表示領域に印刷するように前記書き換え可能装置に指示することを特徴としたものである。
請求項２０の発明は、請求項１４乃至１９のいずれか１の発明において、前記情報記録媒体が、前記表示領域の数，表示位置，表示面積のいずれか１又は複数を含むレイアウト情報を前記記憶領域に記憶して有し、前記サーバ装置が、前記記憶領域に記憶したレイアウト情報に従って前記表示領域を書き換えるように前記書き換え可能装置に指示することを特徴としたものである。
請求項２１の発明は、請求項２０の発明において、前記サーバ装置が、前記情報記録媒体の記憶領域に記憶した工程管理情報の情報量に応じて前記レイアウト情報を変更できるようにしたことを特徴としたものである。
請求項２２の発明は、請求項１４乃至２１のいずれか１の発明において、前記情報記録媒体が、前記表示領域を同一面上に複数箇所設けた場合、各表示領域について書き換えの可否を制御するための書き換え可否制御情報を前記記憶領域に記憶して有し、前記サーバ装置が、前記記憶領域に記憶した書き換え可否制御情報に従って前記各表示領域の中で書き換え可能な表示領域を選択的に書き換えるように前記書き換え可能装置に指示することを特徴としたものである。
請求項２３の発明は、請求項１４乃至２２のいずれか１の発明において、複数の部品を統合して１つの部品又は製品とするための統合化工程を有する場合、前記サーバ装置が、前記統合化工程において、前記複数部品の工程に応じた複数の情報記録媒体を１つの情報記録媒体に統合化して書き換えるように前記書き換え可能装置に指示することを特徴としたものである。
請求項２４の発明は、請求項１４乃至２３のいずれか１の発明において、前記サーバ装置が、前記各工程に割り当てた標準リードタイムを記憶した標準リードタイムテーブルを有し、前記情報記録媒体の表示領域に前工程に応じた工程管理情報を印刷した時刻と、前記前工程を行った後に、当該工程に応じた工程管理情報に基づいて前記表示領域を書き換えた時刻とに基づいて、前記前工程のリードタイムを算出し、該算出した前工程のリードタイムと前記標準リードタイムテーブルに記憶した前記前工程に応じた標準リードタイムとを比較し、当該工程に応じた工程管理情報に基づいて前記表示領域を書き換える際に、前記比較結果に応じた連絡情報を前記表示領域に印刷するように前記書き換え可能装置へ指示することを特徴としたものである。
【手続補正１７】
【補正対象書類名】明細書
【補正対象項目名】００１８
【補正方法】変更
【補正の内容】
【００１８】
請求項２５の発明は、請求項１乃至１３のいずれか１における情報記録媒体を用いた工程管理システムとしての機能を実行するための、あるいは、請求項１４乃至２４のいずれか１における情報記録媒体を用いた工程管理方法を実行するためのプログラムである。
【手続補正１８】
【補正対象書類名】明細書
【補正対象項目名】００１９
【補正方法】変更
【補正の内容】
【００１９】
請求項２６の発明は、請求項２５に記載のプログラムを記録したコンピュータ読み取り可能な記録媒体である。